(57)【要約】      （修正有）【課題】コストや手間を省いて配線や配管等の長手部材を容易に敷設できる配線支持具を提供する。【解決手段】配線支持具１０は、配線を挿通可能な円筒部材１１と、円筒部材の上部に設けられ、円筒部材を支持するためのワイヤ２０を通す貫通孔を有する支持部１５，１６と、支持部を位置決めする位置決め部材１７とで構成し、円筒部材は２つに分割可能で、建物の壁の相互に離れた位置に支持部材を設置し、配線を挿通可能な円筒部材を設けて配線を支持する。【選択図】図２
2009254214.tif 000002
【特許請求の範囲】
【請求項１】
長手部材を挿通可能な円筒部材と、
前記円筒部材の上部に設けられ、前記円筒部材を支持するための支持部材を通す貫通孔を有する支持部と、
前記支持部を位置決めする位置決め部材とを含む、長手部材支持具。
【請求項２】
支持部は、間に所定の空間有するように２つに分割されており、
前記位置決め手段は、前記円筒部材が前記支持部材によって支持されたとき、前記支持部の分割された２つの空間において前記支持部材を挟む部材を含む、請求項１に記載の長手部材支持具。
【請求項３】
前記円筒部材と前記支持部の長さ方向の両端面は同じ位置に存在する、請求項１または２に記載の長手部材支持具。
【請求項４】
前記円筒部材は半円形の２つの半円筒部材に分割可能である、請求項１から３のいずれかに記載の長手部材支持具。
【請求項５】
前記円筒部材は、前記支持部の設けられた位置の反対側の位置で２つの半円筒部材に分割可能である、請求項４に記載の長手部材支持具。
【請求項６】
建物の壁の相互に離れた位置に支持部材を設置し、
支持部材によって支持されるように、長手部材を挿通可能な円筒部材を設け、
円筒部材に長手部材を通す、長手部材支持方法。
【請求項７】
前記支持部材には複数の円筒部材が支持される、請求項６に記載の長手部材支持方法。
【請求項８】
請求項１から５のいずれかに記載の長手部材支持具を用いて長手部材を支持する方法であって、
建物の壁の相互に離れた位置に支持部材を設置し、
支持部材によって支持されるように、長手部材支持具を設け、
円筒部材に長手部材を通す、長手部材支持方法。
【発明の詳細な説明】
【技術分野】
【０００１】
この発明は配線や配管等の長手部材を支持する長手部材支持具、および、長手部材支持方法に関し、特に、簡単に配線や配管等の長手部材の敷設が可能な長手部材支持具、および、長手部材支持方法に関する。
【背景技術】
【０００２】
従来、ビルや、工場等の建築物において配線や配管等の長手部材を敷設するためにケーブルラックが使用されている。図７は、ケーブルラックを用いた従来の配線の敷設状態を示す図であり、ビルの一室３５の天井部分を上方向から見た平面図である。図７を参照して、天井部分には３行、３列に９個の蛍光灯３０ａ〜３０ｉが設置されている。これら９個の蛍光灯３０ａ〜３０ｉに電気を供給する配線は縦方向に延在する第１ケーブルラック３１と、第１ケーブルラック３１に接続された第２および第３ケーブルラック３２，３３によって保持され、各蛍光灯３０ａ〜３０ｉに電気が供給されている。ここで、ケーブルラック３１〜３３から蛍光灯３０ａ〜３０ｉに延びている線は配線を示す。
【０００３】
上記以外に、電線に損傷や発熱を誘引して火災や配線の劣化ないしは故障を起こさないようにした配線ダクト等がたとえば、特開２００５−４５９０６号公報（特許文献１）や特開２００７−２７６４３４号公報（特許文献２）に開示されている。
【特許文献１】特開２００５−４５９０６号公報（要約）
【特許文献２】特開２００７−２７６４３４号公報（要約）
【発明の開示】
【発明が解決しようとする課題】
【０００４】
従来の配線や配管等の敷設は上記のように行われていた。ケーブルラックを用いて配線等を行う場合は、天井に縦横にケーブルラックを設ける必要があり、コストや時間がかかるという問題があった。また、特許文献１や２に示すような配線ダクトを用いる場合も、同様の問題があった。
【０００５】
この発明は、上記のような問題を解消するためになされたもので、コストや手間を省いて配線や配管等の長手部材を容易に敷設できる長手部材支持具、および、長手部材支持方法を提供することを目的とする。
【課題を解決するための手段】
【０００６】
この発明に係る長手部材支持具は、長手部材を挿通可能な円筒部材と、円筒部材の上部に設けられ、円筒部材を支持するための支持部材を通す貫通孔を有する支持部と、支持部を位置決めする位置決め部材とを含む。
【０００７】
好ましくは、支持部は、間に所定の空間有するように２つに分割されており、位置決め手段は、円筒部材が支持部材によって支持されたとき、支持部の分割された２つの空間において支持部材を挟む部材を含む。
【０００８】
さらに好ましくは、円筒部材と支持部の長さ方向の両端面は同じ位置に存在する。
円筒部材は半円形の２つの半円筒部材に分割可能であってもよい。また、この場合、円筒部材は、支持部の設けられた位置の反対側の位置で２つの半円筒部材に分割可能であるのが好ましい。
【０００９】
この発明の他の局面においては、建物の壁の相互に離れた位置に支持部材を設置し、支持部材によって支持されるように、長手部材を挿通可能な円筒部材を設け、円筒部材に長手部材を通す。
【００１０】
好ましくは、支持部材には複数の円筒部材が支持される。
【００１１】
この発明の他の局面においては、上記のいずれかに記載の長手部材支持具を用いて長手部材を支持する方法は、建物の壁の相互に離れた位置に支持部材を設置し、支持部材によって支持されるように、長手部材支持具を設け、円筒部材に長手部材を通す。
【発明の効果】
【００１２】
この発明においては、支持部材に支持された円筒部材に配線等の長手部材を保持可能であるため、従来のようなケーブルラックを用いることなく配線のような長手部材を敷設できる。
【００１３】
その結果、コストや手間を省いて配線や配管等の長手部材を敷設できる長手部材支持具およびそれを用いた長手部材の敷設工事を提供できる。
【発明を実施するための最良の形態】
【００１４】
以下、この発明の一実施の形態に係る配管継手アセンブリを、図面を参照して説明する。図１は、この発明の一実施の形態に係る長手部材支持具を配線支持具に適用した場合の図である。図１（Ｂ）は側面図であり、図１（Ａ）は図１（Ｂ）において、矢印Ａ−Ａで示す部分の矢視図であり、図１（Ｃ）は図１（Ａ）において矢印Ｃ−Ｃで示す部分の断面図であり、図１（Ｄ）は図１（Ｂ）において矢印Ｄ−Ｄで示す部分の断面図である。
【００１５】
図１を参照して、この実施の形態に係る配線支持具１０は、両端が広がった円筒部材１１と、円筒部材１１の上下に設けられたリブ１２ａ，１２ｂと、上部のリブ１２ａの上に設けられ、ワイヤ等の支持部材を通すための貫通孔１５ａ，１６ａが設けられた支持部１５，１６とを含む。円筒部材１１は、両端面１３ａ，１３ｂを有し、両端面１３ａ，１３ｂの開口部の直径は、中央部の直径よりも大きい。支持部１５，１６は、それぞれ、外側端面１５ｂ，１６ｂと、内側端面１５ｃ，１６ｃとを有する。それぞれの内側端面１５ｃ，１６ｃ間には空間が設けられ、それぞれの端面１５ｃ，１６ｃの下部に位置するリブ１２ａは面取りされている。なお、円筒部材１１は樹脂製であるのが好ましい。
【００１６】
図２は、図１に示した配線支持具１０を、支持部１５，１６を通るワイヤ２０で吊り下げた状態を示す図である。図２を参照して、配線支持具１０の円筒部材１１に３本の配線２１ａ，２１ｂ，２１ｃが支持されている。なお、配線支持具１０の位置決めのために、２分割された支持部１５，１６の間の空間に、位置決め部材１７が取り付けられている。この位置決め部材１７は、ワイヤ２０上に固定できる任意の部材である。たとえば、図２に示すように、ワイヤ２０に外部から装着できる、開閉可能なフランジ１７ａ，１７ｂを有する円筒状の部材であってもよく、このフランジ１７ａ，１７ｂをねじ止め１７ｃ等することでワイヤ２０上の任意の位置に位置決めできるようにしてもよい。位置決め部材１７は、配線支持具と共に、元からワイヤ２０に貫通されていてもよく、後で、外部からワイヤ２０に取り付け可能であってもよい。
【００１７】
上記実施の形態においては、位置決め部材を、２つに分割された支持部の間に設けた例について説明したが、これに限らず、支持部は１つで、その両側に位置決め部材を取り付けて位置決めしてもよい。
【００１８】
また、円筒部材１１がその両端部で広がっているため、配線２１ａ等を円筒部材１１に挿入しやすい。
【００１９】
次に、このような配線支持具１０を用いて実際に建物に設けられた蛍光灯等に電源を供給する場合の配線の敷設方法について説明する。図３はこの場合を示す図であり、従来の図５に対応する。図３を参照して、天井部分には３行、３列に９個の蛍光灯３０ａ〜３０ｉが設置されている。これら９個の蛍光灯３０ａ〜３０ｉに電気を供給する電線をこの実施の形態に係る配線支持具を用いて行う。
【００２０】
まず、建物２５の相互に離れた壁上の所定の端部位置２２、２３間にワイヤ２０ａを張る。このワイヤ２０ａには、予め必要な数の配線支持具１０が吊り下げられている。この必要な数は、端部位置２２、２３間の間隔と、その間で支持される配線の重量によって適切に選ばれる。
【００２１】
同様に、ワイヤ２０ｂを相互に離れた壁上の所定の端部位置２２、２４間に張る。このワイヤ２０ｂにも、予め必要な数の配線支持具１０が吊り下げられている。なお、このワイヤ２０ａ，２０ｂを設ける位置は、できるだけ少ないワイヤの数で、必要な配線を支持できるような位置を選択するのが好ましい。ここで、ワイヤ２０ａ，２０ｂから蛍光灯３０ａ〜３０ｉに延びている線は配線を示す。蛍光灯３０ａ〜３０ｉに接続されている他の配線は図示を省略しているが、所定の位置からワイヤ２０ａ，２０ｂに沿うように設けられている。
【００２２】
以上のように、この実施の形態においては、円筒状の配線支持具１０を用いて、それをワイヤで支持することによって複数の配線を敷設するようにしたため、従来のようにケーブルラックは不要となる。その結果、簡単に複数の配線を敷設できる配線方法を提供できる。
【００２３】
なお、ここでは、２本のワイヤ２０ａ，２０ｂを一点で交わるように設け、それによって、３行３列に配列された９個の蛍光灯３０ａ〜３０ｉに配線を提供する場合について説明したが、これに限らず、各列ごとや、各行ごとにワイヤを設けてもよい。
【００２４】
次に、配管支持具の他の例について説明する。図４は配管支持具の他の例を示す図であり、先の実施の形態の図１（Ａ）に対応する図である。図４を参照して、この実施の形態に係る配線支持具１０ａは、全体として円筒状ではあるが、半円部材１４ａ，１４ｂに２分割されており、支持部１５が設けられた位置の反対側で、相互に図中矢印で示す方向に開閉可能である。実際に配線を保持する時には、半円部材１４ａ，１４ｂの支持部１５が設けられた位置の反対側は、円周部分から下部に突出したフランジ部１４ｃ，１４ｄをボルト１４ｅ等によって締め付ける。
【００２５】
このような配管支持具であれば、円筒部材に配線を保持させるのをワイヤの設置後にできるため、好ましい。
【００２６】
次に、配管支持具のさらに他の例について説明する。図５は配管支持具のさらに他の例を示す図であり、図４と同様に、円筒部材がその下部で２分割されている。図５を参照して、この実施の形態に係る配線支持具４０は、全体として、たとえば樹脂で形成された半円筒部材４１，４２に２分割されている。上端に設けられた接続部４３はインテグラルヒンジである。半円筒部材４１,４２の下端部にはフランジ４１ａ，４２ａが設けられ、これらのフランジ４１ａ，４２ａには貫通孔が設けられており、その貫通孔にボルト４４を通してナット４５で締め付けて、配線を支持する円筒部を形成している。
【００２７】
次に、この配管支持具４０の半円筒部材４１,４２のフランジ４１ａ，４２ａを接続する他の例について説明する。図５（Ｃ）は他の接続例を示す図であり、図５（Ａ）のフランジの接続部を示す図である。図５（Ｃ）を参照して、この例では、フランジ４１ａ，４２ａを、一方にナット４６ａが固定されたＵ字状の締結部材であるクリップナット４６と、ボルト４７を用いて接続している。
【００２８】
なお、フランジ４１，４２を接続するボルト、ナット等はフランジの長さによって、複数設けてもよい。
【００２９】
次に、配管支持具のさらに他の例について説明する。図６は配管支持具のさらに他の例を示す斜視図であり、先の実施の形態の図２に対応する図である。図６を参照して、この実施の形態に係る配線支持具４５は、全体として円筒状であり、ワイヤ等の支持部材２０を通すための上部に設けられた第１貫通孔４６と、配線等２１を支持する円筒部４７を通すための第２貫通孔４７とを含む。
【００３０】
なお、上記実施の形態においては、長手部材支持具を配線支持具に用いた例について説明したが、これに限らず、配管支持具や、他の任意の長手部材の支持に用いてもよい。
【００３１】
また、上記実施の形態においては、円筒部材を、両端部の開口断面積が大きく、内部の断面積が小さい場合について説明したが、これに限らず、全体が同一断面積であってもよい。
【００３２】
また、上記実施の形態においては、円筒部材の外周部に２箇所のリブを設けた例について説明したが、これに限らず、リブの数は任意でよい。
【００３３】
また、上記実施の形態においては、円筒部材で配線等を支持する場合について説明したが、これに限らず、楕円の断面であってもよいし、矩形の断面等であってもよい。
【００３４】
また、上記実施の形態においては、位置決め部材を円筒部材や支持部と別体として設けた場合について説明したが、これに限らず、円筒部材や支持部に接続、あるいは、追加して設けてもよい。
【００３５】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３６】
【図１】この発明の一実施の形態に係る配線支持具の全体構成を示す図である。
【図２】配線支持具を用いて配線を行う状態を示す図である
【図３】配線支持具を用いて複数の配線を敷設する場合を示す図である。
【図４】配線支持具の他の例を示す図である。
【図５】配線支持具のさらに他の例を示す図である。
【図６】配線支持具のさらに他の例を示す図である。
【図７】従来の配線を敷設する状態を示す図である。
【符号の説明】
【００３７】
１０  配線支持具、１１  円筒部材、１２  リブ、１３  端面、１５，１６  支持部、１７  位置決め部材、２０  ワイヤ、２１  配線、３０  蛍光灯。
【図１】
2009254214.tif 000003
【図２】
2009254214.tif 000004
【図３】
2009254214.tif 000005
【図４】
2009254214.tif 000006
【図５】
2009254214.tif 000007
【図６】
2009254214.tif 000008
【図７】
2009254214.tif 000009